(57)【要約】【課題】  回路基板への表面実装が可能であり、インピーダンスの調整が容易で、放射特性、利得に優れ、かつ小型の平面アンテナを提供する。【解決手段】  上下面と上下面間を繋ぐ側面を備えた矩形の基板と、基板の一方の上面に形成した矩形の放射電極と、基板の下面に形成した第１接地電極と、基板の側面に形成し下面側から上面側へ延びる帯状の給電電極と、給電電極と同じ側面に形成し、給電電極を挟んで対向し第１接地電極から延び、その端部と放射電極との間隔が等しい一対の第２接地電極を備え、放射電極は、その一辺から側面にまで延長する帯状の延長部を有し、その端部を給電電極の端部と対向させて容量結合により給電した。【選択図】      図１
2010136186.tif 000002
【特許請求の範囲】
【請求項１】
上下面と前記上下面間を繋ぐ側面を備えた矩形の基板と、前記基板の一方の上面に形成された矩形の放射電極と、基板の下面に形成された第１接地電極と、基板の側面に形成され下面側から上面側へ延びる帯状の給電電極と、給電電極と同じ側面に形成され、前記給電電極を挟んで対向し前記第１接地電極から延び、その端部と前記放射電極との間隔が等しい一対の第２接地電極を備え、
前記放射電極は、その一辺から前記側面にまで延長する帯状の延長部を有し、その端部を前記給電電極の端部と対向させて容量結合により給電することを特徴とする平面アンテナ。
【請求項２】
前記放射電極は、その一辺から前記側面にまで延長する帯状の延長部を複数有し、延長部の一つの端部を前記給電電極の端部と対向させ、他の延長部の端部を前記第２接地電極と対向させたことを特徴とする請求項１に記載の平面アンテナ。
【請求項３】
一対の第２接地電極は給電電極に沿って先端部に至るまで等間隔に配置されたことを特徴とする請求項１又２に記載の平面アンテナ。
【請求項４】
前記第２接地電極は基板厚みの半分以上の長さで形成されたことを特徴とする請求項１乃至３のいずれかに記載の平面アンテナ。
【請求項５】
前記放射電極の給電電極と対向する辺と直交する辺にスリットを設けたことを特徴とする請求項１乃至４のいずれかに記載の平面アンテナ。
【発明の詳細な説明】
【技術分野】
【０００１】
本発明はＷＬＡＮ（Ｗｉｒｅｌｅｓｓ  Ｌｏｃａｌ  Ａｒｅａ  Ｎｅｔｗｏｒｋ）などの直線偏波の電波を利用した通信システムや、ＧＰＳ（Ｇｌｏｂａｌ  Ｐｏｓｉｔｉｏｎｉｎｇ  Ｓｙｓｔｅｍ）などの円偏波の電波を利用した通信システムに用いられる平面アンテナに関するものである。
【背景技術】
【０００２】
電子機器の小型化、薄型化、軽量化などの動向を反映して平面アンテナに間する研究が盛んに行われている。平面アンテナの一種であるマイクロストリップアンテナ（ＭＳＡ）は、帯域が狭く、指向性が大きいという特性を持つ。マイクロストリップパッチアンテナ、パッチアンテナとも呼ばれ、アンテナの放射電極は、絶縁物の基板上に貼り付けた金属にエッチングしたり、セラミック基板上にＡｇやＣｕなどの導体ペーストを印刷して焼き付けたりして形成される。平面アンテナの放射電極の形状は、矩形や円形など単純であって、共振周波数における波長によって大きさが決まるため、ＵＨＦ帯以上の周波数で用いられることが多い。
【０００３】
図８に従来の平面アンテナの例を斜視図として示す。平面アンテナ１０は平板状の基板７０の一方主面に矩形の放射電極５０を備え、他方の主面のほぼ全面に接地電極１００が形成され、他方主面側から基板７０を貫通して放射電極５０と接続する給電線路６０が形成されて構成されている。放射電極５０の各辺は給電周波数における実効波長（基板を構成する材料による波長短縮効果を含む）のほぼ１／２になるように形成されている。給電線路６０と放射電極５０との接続点の位置によって電圧と電流とが異なる為、給電点Ｆを放射電極５０の中心部からはずれた位置にとることで、入力インピーダンスを５０Ωで整合を取ることが出来る。また図中、給電点Ｆの位置を放射電極５０の対角線上としているが、例えば中心線上など他の位置に設けても良い。
【０００４】
放射電極５０の各辺の長さを同じとした場合に、給電点Ｆの位置を放射電極５０の対角線上として、二つの対角線と４５度の角度をなす位置の給電点Ｆから給電すると直線偏波が励振される。放射電極５０の各辺の長さを異ならせ、長辺を実効波長の１／２よりも少し長くし、短辺を短くすると、放射電極５０に互いに９０度の位相差を持ち、振幅が等しい二つの共振モードの電流（矢印）が発生して、円偏波の電磁波を励振することが出来る。
【０００５】
給電点Ｆの位置を放射電極５０の中心線上とした場合、放射電極５０の対角線の長さが同じであれば、直線偏波が励振される。対角線の一方の長さを他方の対角線の長さを異ならせると、放射電極５０に互いに９０度の位相差を持ち、振幅が等しい二つの共振モードの電流が発生して、円偏波の電磁波を励振することが出来る。放射電極５０の対角線の長さを異ならせる方法としては、放射電極５０の対向する２箇所の隅部にカットを設けたり、放射電極５０を菱形としたり、放射電極５０の内部に、長方形や楕円形、あるいは十字形状のスリットを設けるなどの縮退分離手段によって電流経路の長短を調整する。
【０００６】
このアンテナの利点は、さまざまな偏波に対応できる点であるものの、放射電極５０への給電は、その面内に給電点Ｆを設ける構造のため、ピン給電方式としたり、あるいは放射電極５０を支持する基板に貫通穴を形成し、そこに給電線路を設けたりする等の構造を取らざるを得ず、表面実装が困難であるとの問題がある。またインピーダンス調整のため、給電点の位置が制限される問題があった。
【０００７】
この様な問題に対して特許文献１には、表面実装性やインピーダンス整合と容易とする平面アンテナが開示されている。図９はその斜視図である。この平面アンテナ１０は、誘電体よりなる平板状の基板７０の上面に放射電極５０が形成され、前記基板７０の側面から上面にかけて、一端側が開放となるマイクロストリップ状の給電電極（給電線路）６０を備え、底面に接地電極１００が形成されており、給電電極の開放端と放射電極の縁端部である１つの辺とを、ギャップを介して近接して配置するものである。
この平面アンテナは基板の側面を利用して給電することが出来るため、貫通する給電線路や給電ピンを用いなくても良く、回路基板への表面実装が容易となる。また給電電極と放射電極とが容量結合する構成であるため、インピーダンスの調整が比較的容易となる利点もある。
【０００８】
また特許文献２には、底面側の接地電極１００と連続し、側面に形成された給電電極６０の両側に位置するように他の接地電極１００ａ、１００ｂを形成した平面アンテナが記載されている（図１０）。接地電極１００ａ、１００ｂと放射電極５０との間隔を異ならせることで、放射電極５０の各辺の長さを同じとした場合でも共振電流のバランスを崩して縮退を分離して、円偏波のアンテナとすることが出来ると記載されている。
【特許文献１】特開平１１−０７４７２１号公報
【特許文献２】特開２０００−１８３６３７号公報
【発明の開示】
【発明が解決しようとする課題】
【０００９】
引用文献１や引用文献２のアンテナでは、放射電極５０が形成された主面に給電電極６０が形成されるため、その分、平面アンテナの上面面積を大きくせざるを得ない。その結果、アンテナの外形寸法が大きくなってしまう。また給電電極６０が長く形成される為、給電電極６０から実装される回路基板の接地電極へ向かう電界が大きくなり易く、アンテナ効率が低下するといった問題がある。
また特許文献２のアンテナでは、その基板の給電電極６０を形成した一側面のほぼ全面に接地電極１１０ａ，１１０ｂが形成されている。このように放射電極５０との間の容量を増やすことで、放射電極５０を小型として平面アンテナを小型化することが可能となるが、これに伴って帯域幅が減少し利得も低下するため、その小型化には限界があった。
そこで本発明では、回路基板への表面実装が可能であり、インピーダンスの調整が容易で、放射特性、利得に優れ、かつ小型の平面アンテナを提供することを目的とする。
【課題を解決するための手段】
【００１０】
本発明は、上下面と前記上下面間を繋ぐ側面を備えた矩形の基板と、前記基板の一方の上面に形成された矩形の放射電極と、基板の下面に形成された第１接地電極と、基板の側面に形成され下面側から上面側へ延びる帯状の給電電極と、給電電極と同じ側面に形成され、前記給電電極を挟んで対向し前記第１接地電極から延び、その端部と前記放射電極との間隔が等しい一対の第２接地電極を備え、前記放射電極は、その一辺から前記側面にまで延長する帯状の延長部を有し、その端部を前記給電電極の端部と対向させて容量結合により給電することを特徴とする平面アンテナである。
更に本発明においては、放射電極の一辺から側面にまで延長する帯状の延長部を複数とし、延長部の一つの端部を給電電極の端部と対向させて容量結合により給電し、他の延長部の端部を第２接地電極と対向させてもよい。
【００１１】
前記延長部が形成される放射電極は、一辺の中点を含む部位から延長されるのが好ましい。ここで中点とは、一つの線分長Ｌを二等分する点に対して２０％程度までのずれを許容し得るものである。平面アンテナが実際使用される場面では、その近傍に他の回路部品や筐体などの金属部品は配置されることがある。また、アンテナ実装位置も接地面を持つ基板中心部からずれて実装される事もある。このような場合に生じる電磁気的な影響を低減するように、延長部を中点よりもずらすこともある。
【００１２】
基板はプリント基板やセラミック基板が用いられ、基板を構成する誘電性材料は、絶縁体であり、電界強度や、基板内部を進行する電磁波の速度に効果的に影響を及ぼすことができる材料から選択される。
平面アンテナの性能は誘電性材料だけではなく基板のサイズおよび形状によっても左右される。良く知られているように、所定の共振周波数ｆ（給電周波数）で動作するために必要な放射電極の一辺の長さＬは、基板の誘電性材料εｒの関数で次式にて表される。
【００１３】
【数１】
2010136186.tif 000003
ｃ：光の速度
εｒ：基板の誘電体材料の比誘電率
ｆ：共振周波数
【００１４】
プリント基板としてはテフロン(登録商標)グラスファイバ基板（ＰＴＦＥ基板）やポリフェニレンエーテル基板（ＰＰＥ基板）などが一般的に用いられる。これらの基板は低誘電率（εｒ＝１．１〜５．０）であり、小型化には不向きであるものの、誘電体損失ｔａｎδが１０−３〜１０−４と小さく、利得に優れたアンテナとなる。
【００１５】
プリント基板の平面アンテナは、車載用途など比較的形状限定が少ない場合には好適であるが、携帯電話等の通信機器や小型のＧＰＳ端末などへの搭載は困難である場合がある。このような場合にはεｒが２００以下の高誘電率を有する誘電体セラミックスを用いたセラミック基板とするのが好ましい。比誘電率が高ければ、放射電極の一辺の長さＬを短くなり、もって平面アンテナを小型化することが出来る。比誘電率の選択は平面アンテナが要求される外形寸法や特性によるが、εｒが２００を超える場合には、帯域幅の減少と利得の低下が大きくなる。
【００１６】
前記したように共振周波数は放射電極の一辺の長さで規定されるが、給電電極と対向する延長部が形成された側の辺の辺長ｂに対する、前記辺と直交する辺の辺長ａの比（ｂ／ａ）は、０．８〜１．０であるのが好ましい。放射電極は正方形（ａ＝ｂ）に形成するのがより好ましい。前記辺長ａは数式１で得られた寸法Ｌに対して±１０％程度で形成されるが、好ましくはＬ以上とする。
【００１７】
本発明においては、一対の第２接地電極を、給電電極に沿ってその先端部に至るまで等間隔に配置するのが好ましい。前記第２接地電極は基板底面から基板厚みの半分以上で放射電極からの延長部まで至らない長さで形成される。この様に給電電極をコプレーナ構造にて構成することで給電電極での損失が少なくなり、アンテナ特性が向上する。また放射電極に他の延長部を設けるなどして、第２接地電極との容量結合を強めることで放射電極への電力供給量を大きくすることが出来る。
本発明においては、給電電極の端部と放射電極の延長部とを対向させ、ギャップを持たせて容量結合により給電する。また容量結合部におけるギャップ長は第２接地電極と給電電極との間の幅よりも十分に狭く構成する。このような構成によればギャップ長の調整によって、容易にインピーダンスの調整が行え、かつ比帯域幅の減少を防ぐことが出来る。特に基板を構成する誘電体が高比誘電率である場合に、顕著に効果を発揮する。
【００１８】
放射電極の給電電極と対向する辺と直交する辺にスリットを設けても良い。本願発明の平面アンテナでは、給電点を放射電極の中心線上においている。このような構成の場合には、電流はその中心線と平行な放射電極のエッジに強く流れる。スリットによって電流経路が長くなり共振周波数が低下するため、平面アンテナを小型化することが出来る。スリットは一辺に複数設けて櫛歯状としても良いし、対向する２辺にそれぞれ設けても良い。
【発明の効果】
【００１９】
本発明によれば、回路基板への表面実装が可能であり、インピーダンスの調整が容易で、放射特性、利得に優れ、かつ小型の平面アンテナを提供することが出来る。
【発明を実施するための最良の形態】
【００２０】
以下、本発明の実施の形態について説明する。なお、以下に説明する平面アンテナにおいて用いた材料や作製法は本発明を限定するものではなく、本発明の趣旨の範囲内で種々改変することができる。
図１は本願発明の一実施例に係る平面アンテナの斜視図であって、図１（ａ）は放射電極が形成された上面側から見た斜視図であり、同（ｂ）は接地電極が形成され実装面となる下面側から見た斜視図である。
【００２１】
平面アンテナ１０は、直方体状の誘電体からなる基板７０と、基板７０の下面に形成された第１接地電極１００と、上面に形成された一辺の長さがλ／２近似の放射電極５０と、側面に形成された給電電極６０で構成されている。このうち第１接地電極は基板７０の側面にまで延長に形成されて、給電電極６０を挟んで対抗する第２接地電極１１０ａ、１１０ｂを構成している。また、放射電極５０の一部が帯状となり、側面に回り込んで開放端を形成する延長部５５となる。給電電極６０は、一端が基板７０の側面上に形成された放射電極５０の延長部５５の開放端に近接して、ギャップ１２０を介して形成され、他端は基板７０の下面に回り込んで、第１接地電極とギャップを介して形成されている。給電電極６０と第１接地電極１００、第２接地電極１１０ａ、１１０ｂとのギャップは、給電電極６０と給電電極５０との間のギャップ１２０に比べて大きく設定されている。
【００２２】
基板を構成する誘電体材料は、目的とする周波数に応じて適宜選択され得るものであるが、小型でありながら、アンテナ特性として十分な利得が得られるようにするには、比誘電率εｒが５〜２００程度の誘電体材料を用いる。セラミックス材料としてεｒが１０程度であればアルミナ系セラミックス、４０以下であればチタン酸カルシウム系セラミックス、チタン酸マグネシウム系セラミックが、２００以下であればチタン酸バリウム系セラミックスが挙げられる。他に温度特性や損失を考慮しながら選択される。
【００２３】
放射電極５０及びその延長部５５、第１、第２接地電極１００、１１０ａ、１１０ｂ、給電電極６０は銀ペーストなどの良伝導体を基板に印刷して焼き付けることで、厚みが数μｍ〜２０μｍの導体膜として形成される。伝導体としては銀のほかに、金、銅、パラジウム、白金や銀パラジウム合金、銀白金合金を含むペーストが用いられる。その形成はスクリーン印刷法など公知の製造方法を採用でき、他の方法としてはメッキやエッチングが挙げられる。
図１においては、放射電極５０や第１接地電極１００を、基板の側面から内側に間隔を持って形成している。これは外力による電極の剥離を防ぐなどの目的によるものだが、それぞれ基板と同じ大きさに形成しても良く、その場合には更に平面アンテナを小型に出来る。
【００２４】
基板７０の側面に形成された第２接地電極１１０ａ、１１０ｂによって、放射電極５０と接地電極との間に形成される容量が増加し共振周波数が低下するため、平面アンテナを小型化することが出来る。一方で放射電極５０と第２接地電極１１０ａ、１１０ｂとを近接させ過ぎると、放射電極５０からの帰還電流が第２接地電極１１０ａ、１１０ｂに集中するため、他のアンテナ特性に影響を及ぼす。基板７０を構成する誘電体の比誘電率を考慮しながら長さを設定するが、給電電極の開放端を越えて長く形成することは無い。図１において第２接地電極１１０ａ、１１０ｂの形状をＩ字状としているが、Ｔ字やＬ字の帯状電極など、他の形状としてもかまわない。ただし放射電極５０との間で形成される容量が大きくなりすぎないように、第２接地電極１１０ａ、１１０ｂの幅を対向する放射電極５０の一辺の長さに対して１／４以下とするのが好ましい。
また、基板７０の側面（第２接地電極１１０ａ、１１０ｂが形成された側面を含む）において、回路基板への実装性や固着強度を向上するように、第１接地電極１００と連続する端子電極を形成しても良い。この場合の端子電極はアンテナ特性に影響を与えない程度の大きさ、位置にて形成される。
【００２５】
本実施形態による平面アンテナ１０は、基板７０の上面には放射電極５０のみが形成される構成である。従って、給電電極を上面にまで形成する従来の平面アンテナに比べて基板７０を小さくすることができるため、平面アンテナ１０そのものも小型化することが出来る。
【実施例】
【００２６】
本実施例の平面アンテナの基本構造は図１と同一なのでその説明を省略する。この平面アンテナは周波数帯域が１５７５．４２±１．０２３ＭＨｚのＧＰＳ用アンテナである。本実施例では基板の誘電体材料としてＴｉ−Ｂａ−Ｓｍ系セラミックス材料を用いた。このセラミックス材料の比誘電率εｒは７９であり、ｔａｎδ（ａｔ  ４．８ＧＨｚ）が４×１０−４である。
所定の組成で原料となるＴｉＯ２，ＢａＣＯ３，Ｓｍ２Ｏ３などの酸化物を秤量して、ボールミルで湿式にて均一となるように混合する。その後、仮焼、粉砕を経て得られた造粒粉を加圧成形にて板状に形成し、１３５０℃で焼成し、得られた板状体をダイサー（切断機）によって所定の形状（１２．０ｍｍ×１２．０ｍｍ×３．０ｍｍ）に切り出して平面アンテナに用いる基板７０を作製した。
【００２７】
得られた基板７０に、銀ペーストを用いて放射電極５０、第１接地電極１００、第２接地電極１１０ａ、１１０ｂ、給電電極６０をスクリーン印刷にて印刷形成して焼き付けて平面アンテナを作製した。
放射電極５０は正方形（延長部除く）に形成され、一辺の長さを１１ｍｍとしている。この長さは、給電周波数１５７５．４２ＭＨｚにおける実効波長の略１／２の寸法としている。延長部の幅は０．６５ｍｍ、上面から端部までの長さを０．５ｍｍとしている。給電電極６０は幅を前記延長部と同じとし、対向する幅を０．６５ｍｍ、底面からの長さを２．０ｍｍとし、ギャップＧを０．５ｍｍとしている。給電電極６０の両側には１．５２５ｍｍの間隔Ｗをもって第２接地電極１１０ａ、１１０ｂを形成した。第２接地電極１１０ａ、１１０ｂの底面からの長さＨは共に２．０ｍｍである。第１接地電極１００も正方形に形成され、一辺の長さを１１ｍｍとしている。
【００２８】
得られた平面アンテナ１０を試料とし、縦横それぞれ３５ｍｍで厚みが０．６ｍｍのプリント基板２００に半田付けして実装し、電波暗室（電波無響室）内にてアンテナ特性を評価した。図３に平面アンテナを実装した評価ボードの斜視図を示す。基板７０の給電電極６０と接続される線路パターン以外の領域は、全て接地導体パターンＧＮＤが形成されている。前記線路パターンには整合回路を構成するリアクタンス素子（チップ部品）２５０が実装され、その端部は同軸線路３００が接続されるように、同軸コネクタ（図示せず）が形成されている。
【００２９】
図４はアンテナ特性の評価方法を説明する為の図である。内壁に電波吸収体が隙間なく敷設された暗室５００に、測定用アンテナ（右旋回円偏波型ログ・スパイラル・アンテナ）３００を配置し、３ｍ離れて配置されたターンテーブル上で回転するアンテナ試料２００へ電波を送信し、平面アンテナ１０で受信する構成であり、得られた受信電力をもとに利得および放射指向性、ＶＳＷＲを求めた。測定用アンテナ３００とアンテナ試料２００は、それぞれ室外に配置されたネットワークアナライザのポートに同軸ケーブルで接続されている。測定用アンテナ３００への給電はネットワークアナライザにて行った。
【００３０】
図５に平面アンテナのＶＳＷＲ特性を示す。１５７４．４０〜１５７６．４４ＭＨｚの周波数帯域において、１．５７以下のＶＳＷＲを得た。図６は利得及び指向特性図である。この指向特性図はＹ−Ｚ面、即ち評価ボードの接地導体パターンＧＮＤに垂直な面内における利得を示す。１５７５．４２ＭＨｚにおけるＹ−Ｚ面における平均利得は−３．３４ｄＢｉｃであり、Ｘ−Ｙ面、Ｚ−Ｘ面を含めた全平均利得は−５．４０ｄＢｉｃであった。
【００３１】
次に給電電極６０と第２接地電極１１０ａ、１１０ｂとの間隔Ｗを０．５ｍｍ〜２．６７５ｍｍとして変更し、他の寸法形状は前記平面アンテナと同じとした試料を同様の手順で作製し、測定評価した。間隔Ｗが１．５２５ｍｍを超えると、ＶＳＷＲと特性に顕著な差は見られないが、利得が緩やかに低下した。また間隔Ｗが狭まると利得が著しく低下し、Ｗが０．５ｍｍであると実用に供し得ない程度に利得が低下した。
【００３２】
次に給電電極６０と放射電極５０の延長部５５とのギャップＧを０．１〜０．５ｍｍとして変更し、他の寸法形状は前記平面アンテナと同じとした試料を同様の手順で作製し、測定評価した。ギャップＧを狭めていくと、ＶＳＷＲと特性に顕著な差は見られないが、利得が緩やかに向上した。
【００３３】
次に第２放射電極１００ａ、１１０ｂの長さＨを０．５〜２．５ｍｍとして変更し、他の寸法形状は前記平面アンテナと同じとした試料を同様の手順で作製し、測定評価した。長さＨが短いほどＶＳＷＲは広帯域化するものの利得が低下し、長さＨが１．５ｍｍ未満では実用に供し得ない程度に利得が低下した。長さＨが２．５ｍｍの場合には、近接した２周波数での共振が生じた。これに伴いＶＳＷＲは長さＨが２．０ｍｍの場合と比較し、僅かに帯域が広がったが、利得は減少した。
【００３４】
次に放射電極に３つの延長部５５、５６ａ、５６ｂを形成し、内２つの延長部５６ａ、５６ｂを０．５ｍｍのギャップを介して第２接地電極１１０ａ、１１０ｂと対向させ、他の寸法形状は前記平面アンテナと同じとした試料を同様の手順で作製し、測定評価した。その結果利得が向上した。
【産業上の利用可能性】
【００３５】
本発明によれば、回路基板への表面実装が可能であり、インピーダンスの調整が容易で、放射特性、利得に優れ、かつ小型の平面アンテナを提供することが出来る。
【図面の簡単な説明】
【００３６】
【図１】本発明の一実施例に係る平面アンテナの斜視図である。
【図２】本発明の一実施例に係る平面アンテナの正面図である。
【図３】本発明の一実施例に係る平面アンテナを実装した評価ボードの斜視図である。
【図４】本発明の一実施例に係る平面アンテナの評価方法を説明するための図である。
【図５】本発明の一実施例に係る平面アンテナのＶＳＷＲ特性図である。
【図６】本発明の一実施例に係る平面アンテナのＹ−Ｚ面の利得特性図である。
【図７】本発明の他の実施例に係る平面アンテナの斜視図である。
【図８】従来の平面アンテナの斜視図である。
【図９】従来の他の平面アンテナの斜視図である。
【図１０】従来の他の平面アンテナの斜視図である。
【符号の説明】
【００３７】
１０  平面アンテナ
５０  放射電極
５５、５６ａ、５６ｂ  放射電極の延長部
６０  給電電極
７０  基板
１００  第１接地電極
１１０ａ、１１０ｂ  第２接地電極
２００  プリント基板（評価ボード）
【図１】
2010136186.tif 000004
【図２】
2010136186.tif 000005
【図３】
2010136186.tif 000006
【図４】
2010136186.tif 000007
【図５】
2010136186.tif 000008
【図６】
2010136186.tif 000009
【図７】
2010136186.tif 000010
【図８】
2010136186.tif 000011
【図９】
2010136186.tif 000012
【図１０】
2010136186.tif 000013